(57)【要約】  調光システムは、例えば調光窓（１）であり、窓ガラス（１１）と、調光装置（４０）と、駆動装置（５０）と、窓ガラス（１１）および駆動装置（５０）を組み込む組み込み（２４）を有する框（２０）と、を備え、框（２０）の一部に、駆動装置（５０）の少なくとも一部を収容する収容部（２６）と、収容部（２６）を開閉自在に覆う開閉部（２７）と、が設けられている。
2016203860.tif 000002
【特許請求の範囲】
【請求項１】
透光性部材と、
上記透光性部材に対向配置され、電圧を印加することで光の透過率を変化させる調光装置と、
上記調光装置を駆動する駆動装置と、
上記透光性部材および上記調光装置を組み込む組み込み部を有する支持体と、を備え、
上記支持体の一部に、上記駆動装置の少なくとも一部を収容する収容部と、上記収容部を開閉自在に覆う開閉部と、が設けられていることを特徴とする調光システム。
【請求項２】
上記駆動装置は、上記調光装置に、該調光装置を駆動するための電力を供給する電源部と、上記調光装置の駆動を制御する制御部と、を少なくとも有し、
少なくとも上記電源部および上記制御部が、上記収容部内に収容されていることを特徴とする請求項１に記載の調光システム。
【請求項３】
上記駆動装置は、上記調光装置の透過率を切り替えるスイッチ部と、上記制御部に接続された通信部と、のうち少なくとも一方をさらに有し、上記スイッチ部および上記通信部のうち少なくとも一方は、上記収容部内に収容されていることを特徴とする請求項２に記載の調光システム。
【請求項４】
上記通信部は、気候情報を配信するサーバから、通信ネットワークを介して、当該調光システムを設置する住所に対応付けられた気候情報を取得し、
上記制御部は、上記気候情報に応じて、目的とする日射熱取得率が得られるように、上記調光装置の駆動を制御することを特徴とする請求項３に記載の調光システム。
【請求項５】
上記通信部は、ＨＥＭＳコントローラと通信可能に接続されていることを特徴とする請求項３または４に記載の調光システム。
【請求項６】
上記調光装置は、貼着層により上記透光性部材の表面に固定されていることを特徴とする請求項１〜５の何れか１項に記載の調光システム。
【請求項７】
上記調光装置は、シール材で貼り合わされた一対の基板を備え、
上記透光性部材と上記支持体との間には、ガスケットが設けられており、
上記シール材は、上記ガスケットと対向する位置に配置されていることを特徴とする請求項１〜５の何れか１項に記載の調光システム。
【請求項８】
上記透光性部材は、互いに対向して設けられた第１の透光性部材と第２の透光性部材とを備え、
上記調光装置は、上記第１の透光性部材と第２の透光性部材との間に配置されていることを特徴とする請求項１〜５の何れか１項に記載の調光システム。
【請求項９】
上記調光装置は、貼着層により上記第１の透光性部材および上記第２の透光性部材のうち一方の透光性部材の表面に固定されていることを特徴とする請求項８に記載の調光システム。
【請求項１０】
上記調光装置は、上記第１の透光性部材と第２の透光性部材との間に、上記第１の透光性部材および第２の透光性部材とは離間して設けられていることを特徴とする請求項９に記載の調光システム。
【請求項１１】
上記第１の透光性部材と上記第２の透光性部材とは、スペーサを介して対向配置されており、
上記調光装置は、シール材で貼り合わされた一対の基板を備え、
上記第１の透光性部材および上記第２の透光性部材と上記支持体との間には、ガスケットが設けられており、
上記シール材は、上記ガスケットおよび上記スペーサと対向する位置に配置されていることを特徴とする請求項８〜１０の何れか１項に記載の調光システム。
【請求項１２】
上記第１の透光性部材と上記第２の透光性部材とは、スペーサを介して対向配置されており、
上記調光装置は、シール材で貼り合わされた一対の基板を備え、
上記第１の透光性部材および上記第２の透光性部材と上記支持体との間には、ガスケットが設けられており、
上記一対の基板のうち一方の基板が、他方の基板よりも大きく、
上記シール材は、上記ガスケットおよび上記スペーサと対向しない位置に配置されており、上記一方の基板のみが上記ガスケットおよび上記スペーサに対向することを特徴とする請求項８〜１０の何れか１項に記載の調光システム。
【請求項１３】
当該調光システムは調光窓であり、上記透光性部材は窓本体であり、上記支持体は框であることを特徴とする請求項１〜１２の何れか１項に記載の調光システム。
【請求項１４】
上記調光窓は、該調光窓を閉めたときに互いに接し合う召合せ框を有する可動窓であり、
上記框は、枠状の第１框と第２框とを含み、上記第１框および第２框は、窓枠内でそれぞれスライド自在に設けられており、それぞれが、上記召合せ框を有し、
上記窓本体は、上記第１框で支持された第１窓本体と、上記第２框で支持された第２窓本体とを含み、
上記調光装置は、上記第１窓本体に対向配置された第１調光装置と、上記第２窓本体に対向配置された第２調光装置とを含み、
上記第１框および上記第２框における上記召合せ框のうち一方の召合せ框における、他方の召合せ框との接触面とは反対側の面の一部に、上記開閉部が設けられていることを特徴とする請求項１３に記載の調光システム。
【請求項１５】
上記第１框および上記第２框における上記召合せ框に、互いに接続される接続部がそれぞれ設けられており、
上記開閉部が設けられた召合せ框に設けられた上記一方の召合せ框に設けられた接続部は、上記駆動装置に接続されており、
上記調光窓を閉めたときに上記各接続部が電気的に繋がることで、上記駆動装置により、上記第１調光装置と上記第２調光装置とが駆動されることを特徴とする請求項１４に記載の調光システム。
【請求項１６】
上記召合せ框に錠が設けられており、上記錠の施錠動作または解錠動作に伴って上記接続部同士が接触または離間することを特徴とする請求項１５に記載の調光システム。
【発明の詳細な説明】
【技術分野】
【０００１】
本発明は、電圧を印加することで光の透過率を変化させる調光システムに関する。
【背景技術】
【０００２】
近年、電圧を印加することによりガラスに設けた光の透過率を調整可能な、例えばスマートウィンドウと称される、調光機能を有する調光窓が実用化されている。【０００３】
このような調光窓は、窓の光学特性を可変することで、遮光や減光、遮熱等が可能であり、例えば建物や乗り物等における冷暖房負荷等を大幅に低減できることから、省エネルギー対策への取り組みの一環として注目を集めている。【０００４】
一方、調光手段として表示装置を利用することで、調光窓を表示に利用する技術も知られている（例えば特許文献１等、参照）。
【先行技術文献】
【特許文献】
【０００５】
【特許文献１】国際公開第２０１４／１７５１９０号パンフレット（２０１４年１０月３０日国際公開）
【発明の概要】
【発明が解決しようとする課題】
【０００６】
このような調光窓を駆動するためには、少なくとも電源部と制御部とが必要となる。【０００７】
特許文献１には、複層ガラスに表示装置を設ける場合に、表示装置に電源供給や画像信号を供給するためのケーブルの視認による外観的な見栄えの低下や断線を防止するために、複層ガラスのスペーサにケーブル挿通路を設けることが開示されている。【０００８】
しかしながら、特許文献１は、上記表示装置の電源部や制御部の配置については、特に言及していない。また、特許文献１は、電源や信号の入力が本体と一体化し、取り外しを前提としない、車両等の固定窓に上記表示装置を設けるものであり、例えば框（サッシ）のように、建物とは独立して交換が可能な部材に対する電源部や制御部等の配置については、何ら言及していない。【０００９】
調光窓を、例えば引違い窓や上げ下げ窓のように窓自体が可動する可動窓に適用すれば、汎用性を大きく向上させることができる。【００１０】
しかしながら、従来、引き違い窓のような可動式の窓について、電源部や制御部がどのように配置されているべきかについて、文献記載や実例がない。【００１１】
窓の框（サッシ）のように、調光対象となる窓ガラス等の透光性部材を組み込む組み込み部を有する支持体に電源部や制御部等を設けた場合、電源部や制御部が寿命や故障により動作不可能となった場合、框や、グレーチングチャンネルおよび框等を含む障子を分解して、電池交換や部品交換、修理等を行う必要がある。【００１２】
しかしながら、このように框の分解を行うと、作業に非常に手間がかかる。また、調光窓に複層ガラスを用いる場合、ガラス間に埃やゴミが入り込む可能性がある。【００１３】
本発明は、上記問題点に鑑みなされたものであり、その目的は、透光性部材を組み込む組み込み部を有する支持体に駆動装置を設けるとともに、上記組み込み部を分解することなく、駆動装置の修理や電池交換、部品交換等を行うことができる調光システムを提供することにある。
【課題を解決するための手段】
【００１４】
上記の課題を解決するために、本発明の一態様にかかる調光システムは、透光性部材と、上記透光性部材に対向配置され、電圧を印加することで光の透過率を変化させる調光装置と、上記調光装置を駆動する駆動装置と、上記透光性部材および上記調光装置を組み込む組み込み部を有する支持体と、を備え、上記支持体の一部に、上記駆動装置の少なくとも一部を収容する収容部と、上記収容部を開閉自在に覆う開閉部と、が設けられている。
【発明の効果】
【００１５】
本発明の一態様によれば、上記組み込み部を分解することなく、駆動装置の修理や電池交換、部品交換等を行うことができる調光システムを提供することができる。
【図面の簡単な説明】
【００１６】
【図１】（ａ）は、本発明の実施形態１にかかる調光窓の概略構成を示す正面図であり、（ｂ）は、本発明の実施形態１にかかる調光窓の要部の概略構成を示す断面図である。
【図２】本発明の実施形態１にかかる調光窓における調光システムの概略構成を示すブロック図である。
【図３】本発明の実施形態１にかかる調光窓における窓本体ユニットの要部の概略構成を示す断面図である。
【図４】（ａ）は、本発明の実施形態１にかかる調光装置の概略構成の一例を示す断面図であり、（ｂ）は、本発明の実施形態１にかかる調光装置で使用される形状異方性部材の一例を示す斜視図である。
【図５】（ａ）は、本発明の実施形態１にかかる調光装置における近赤外光反射状態を示す図であり、（ｂ）は、本発明の実施形態１にかかる調光装置における近赤外光透過状態を示す図である。
【図６】（ａ）・（ｂ）は、本発明の実施形態１で実際に作製した調光装置における対向する電極間に電圧を印加したときの平面視でのフレークの配向状態を撮影した顕微鏡写真を示す図であり、（ａ）は、上記電極間に２Ｖの直流電圧を印加したときを示し、（ｂ）は、上記電極間に、６０Ｈｚ、５Ｖの交流電圧を印加したときを示す。
【図７】（ａ）・（ｂ）は、本発明の実施形態１にかかる調光装置において、光変調層に電圧を印加する電極を分割して形成した例を示す図である。
【図８】本発明の実施形態２にかかる調光窓の要部の概略構成を示す断面図である。
【図９】本発明の実施形態２にかかる調光窓における窓本体ユニットの要部の概略構成を示す断面図である。
【図１０】本発明の実施形態３にかかる調光窓における窓本体ユニットの要部の概略構成を示す断面図である。
【図１１】本発明の実施形態４にかかる調光窓の要部の概略構成を示す正面図である。
【図１２】（ａ）・（ｂ）は、本発明の実施形態４にかかる調光窓の要部の概略構成を示す断面図であり、（ａ）は、上記調光窓の解錠時の状態を示し、（ｂ）は、上記調光窓の施錠時の状態を示す。
【発明を実施するための形態】
【００１７】
以下、本発明の実施の形態について、詳細に説明する。
【００１８】
〔実施形態１〕
本発明の一実施形態について図１の（ａ）・（ｂ）〜図７の（ａ）・（ｂ）に基づいて説明すれば、以下の通りである。
【００１９】
以下、本実施形態では、本実施形態にかかる調光システムが調光窓（調光機能窓）である場合を例に挙げて説明するが、本実施形態は、これに限定されるものではない。
【００２０】
＜調光窓１の概略構成＞
図１の（ａ）は、本実施形態にかかる調光窓１の概略構成を示す正面図であり、図１の（ｂ）は、本実施形態にかかる調光窓１の要部の概略構成を示す断面図である。また、図２は、調光窓１の要部の概略構成を示すブロック図である。
【００２１】
図１の（ａ）・（ｂ）および図２に示すように、本実施形態にかかる調光窓１（調光システム）は、窓本体ユニット１０、框２０（支持体）、駆動装置５０、および通信装置６１（通信端末）を備えている。
【００２２】
より具体的には、本実施形態にかかる調光窓１（調光システム）は、窓ガラス１１（窓本体、透光性部材）、框２０、グレーチングチャンネル３１、調光装置４０、駆動装置５０、および通信装置６１を備えている。なお、以下では、調光窓１が、可動窓（障子）である場合を例に挙げて説明する。但し、本実施形態は、これに限定されるものではなく、調光窓１は、固定窓であってもよい。
【００２３】
（窓ガラス１１）
調光装置４０による調光対象物である窓ガラス１１は、透光性を有する透光性部材であり、平板状の透明なガラス部材で構成されている。
【００２４】
（框２０）
框２０は、窓ガラス１１、調光装置４０、および駆動装置５０を支持する支持体であり、窓ガラス１１の外形に沿った枠形状を有している。図１の（ａ）・（ｂ）では、窓ガラス１１が長方形状を有し、框２０が、窓ガラス１１の外形に沿った長方形の枠状に形成されている場合を例に挙げて図示している。
【００２５】
框２０は、四周に、上框２１、下框２２、左右の縦框２３・２３（縦桟）からなる枠状の框２０（サッシ枠）を有している。
【００２６】
框２０は、窓ガラス１１および調光装置４０を支持する支持部として、組み込み部２４を有している。框２０を構成する、上框２１、下框２２、縦框２３・２３における、窓ガラス１１および調光装置４０の組み込み部である組み込み部２４（支持部）には、窓ガラス１１および調光装置４０を嵌め込むことで窓ガラス１１および調光装置４０を支持する（つまり、框２０の内側に組み込む）ための凹部２５が設けられている。
【００２７】
また、框２０の一部には、被収容物を収容する収容部２６と、上記収容部２６を開閉する開閉部２７と、が設けられている。なお、収容部２６および開閉部２７については、後述する。
【００２８】
（グレーチングチャンネル３１）
凹部２５と窓ガラス１１および調光装置４０との間の隙間には、ガスケットとして、グレーチングチャンネル３１が設けられている。
【００２９】
グレーチングチャンネル３１は、窓ガラス１１および調光装置４０を挟むように、窓ガラス１１および調光装置４０の周囲に巻き付けられている。窓ガラス１１および調光装置４０は、グレーチングチャンネル３１により凹部２５内に固定されることで、框２０の枠内に保持されている。
【００３０】
窓ガラス１１と調光装置４０とは、グレーチングチャンネル３１によって一体化されており、窓ガラス１１、調光装置４０、およびグレーチングチャンネル３１は、一つの窓本体ユニット１０として、一体的に、框２０に組み付けられている。すなわち、框２０は、窓本体ユニット１０を支持する支持体であり、組み込み部２４は、框２０における、窓本体ユニット１０の組み込み部（支持部）であると言い換えることができる。
【００３１】
このように窓ガラス１１および調光装置４０の端部がグレーチングチャンネル３１で覆われていることで、窓ガラス１１および調光装置４０と框２０（サッシ）との接触を防ぐとともに、窓ガラス１１および調光装置４０と框２０との隙間を塞ぎ、組み込み部２４において、気密性や水密性を確保することができる。
【００３２】
（調光装置４０）
調光装置４０は、電界を印加することで光の透過率を変化させる光変調装置であり、窓ガラス１１に対向配置され、窓ガラス１１を介して該調光装置４０に入射された入射光の透過率を変化させることで、窓ガラス１１を透過する光の透過率を調整（つまり、調光）する。
【００３３】
調光装置４０は、図１の（ｂ）に示すように、窓ガラス１１の板面に垂直な方向から見たときに、窓ガラス１１の板面に重畳して設けられている。
【００３４】
本実施形態では、図１の（ａ）・（ｂ）に示すように、調光装置４０は、例えば窓ガラス１１の外形とほぼ同じ外形を有する薄い面状に形成されており、框２０に固定された窓ガラス１１の一方の板面の全面に貼着されることにより窓ガラス１１に固定されている。
【００３５】
また、本実施形態では、調光装置４０は、窓ガラス１１の屋内側の板面に貼り付けられており、屋外に面した窓ガラス１１を介して該調光装置４０に入射される入射光の透過率を変更することで調光を行う。なお、調光装置４０の詳細については、後述する。
【００３６】
（駆動装置５０）
駆動装置５０は、調光装置４０を駆動する駆動部であり、調光装置４０に入射された入射光の透過率を変更する。駆動装置５０は、電源部５１、制御部５２、記憶部５３、通信部５４、およびスイッチ部５５を備えている。
【００３７】
駆動装置５０は、窓ガラス１１の組み込み部（嵌込み部）である組み込み部２４を分解することなく、交換および修理を行うことができるように、組み込み部２４とは別に配設（実装）されていることが望ましい。
【００３８】
このため、駆動装置５０のうち少なくとも一部は、開閉部２７により交換および修理を行うことができるように、前記被収容物として、前記収容部２６内に配設されている。このとき、交換および修理の必要性が高い構成要素については、前記収容部２６内に配設されていることが望ましい。例えば、駆動装置５０のうち少なくとも電源部５１および制御部５２は、前記収容部２６内に配設されていることが望ましい。
【００３９】
また、駆動装置５０が、図２に示すように、記憶部５３、通信部５４、スイッチ部５５等を備えている場合、その少なくとも一つは、電源部５１および制御部５２と併せて、前記収容部２６内に配設されていることが望ましい。なお、本実施形態では、駆動装置５０が、全て収容部２６内に配設されている場合を例に挙げて説明するが、本実施形態は、これに限定されるものではない。
【００４０】
電源部５１は、調光装置４０に、調光装置４０を駆動するための電力を供給する電源回路である。電源部５１は、調光装置４０に所定の電圧を印加する。電源部５１による調光装置４０への電圧の印加は、制御部５２（制御回路）からの制御信号によって制御されている。
【００４１】
電源部５１には、一次電池や二次電池が脱着可能に収められていてもよく、太陽電池からの電力を充電可能な二次電池が収められていてもよい。また、構成を簡素化するために、太陽電池からの電力をそのまま用いるようにしてもよい。太陽電池を用いるときには、太陽電池を、窓ガラス１１の板面の一部あるいは框２０の表面の一部に設置してもよい。また、太陽電池を、窓ガラス１１の端面に設け、導光する光を利用できるようになっていてもよい。
【００４２】
なお、電源部５１と調光装置４０との間には、電源部５１と調光装置４０とを繋ぐ配線７１が設けられている。配線７１は、複数設けられており、調光装置４０には、電源部５１から延出された各配線７１の端子が接続されている。
【００４３】
制御部５２は、調光装置４０の駆動を制御する制御回路を有する回路基板であり、該制御部５２に接続された、電源部５１等の、調光装置４０を駆動する駆動装置５０の各部の動作を制御する。
【００４４】
例えば、制御部５２は、電源部５１による調光装置４０への電圧の印加を制御することで、上記調光装置４０の駆動（すなわち、上記調光装置４０における調光）を制御する。
【００４５】
制御部５２は、例えば、ＣＰＵ（Central Processing Unit）や専用プロセッサ等の演算処理部である。
【００４６】
制御部５２は、例えば、ＲＡＭ（Random Access Memory）、ＲＯＭ（Read Only Memory）、ＨＤＤ（Hard Disc Drive）等の記憶部５３に記憶されている各種情報および各種制御を実施するためのプログラムを読み出して実行することで、調光装置４０を駆動するための駆動装置５０の各部の動作を制御する。なお、プログラムが実行されることで、制御部５２には、例えば、電圧切替え制御部、通信制御部等が構築される。
【００４７】
また、上述したように、駆動装置５０は通信部５４を備えていてもよく、図２に示すように、制御部５２には通信部５４が接続されていてもよい。
【００４８】
通信部５４を収容部２６内に配設する場合、少なくとも開閉部２７は、絶縁体または赤外線等が透過可能な部材等で構成し、通信装置６１からの信号を通信可能に構成することが好ましい。
【００４９】
通信部５４は、調光装置４０を駆動する信号を受け付ける（受信する）受信部を少なくとも有している。通信部５４は、例えば、通信装置６１との間でデータ通信が可能に設けられている。
【００５０】
通信装置６１は、例えば、リモートコントローラ等の端末装置であり、図示しない操作部として、例えば、調光装置４０の調光状態を切換える切換えスイッチ等が配置されたスイッチ部を備えている。
【００５１】
通信装置６１と通信部５４とは、赤外線通信や、Ｗｉ−Ｆｉ（Wireless Fidelity：登録商標）やＺ−ｗａｖｅ（登録商標）等の無線通信等で接続されている。
【００５２】
なお、通信の方向は、通信装置６１から通信部５４に、調光装置４０の制御に関する制御信号を一方向に送る形態でもよく、双方向にして、例えば調光装置４０のエラー信号を通信装置６１に送り、その内容を通信装置６１で表示可能としてもよい。すなわち、上記通信部５４は、受信部に加えて、送信部を有していてもよい。
【００５３】
また、上述したように、駆動装置５０はスイッチ部５５を備えていてもよく、図２に示すように、制御部５２にはスイッチ部５５が接続されていてもよい。
【００５４】
スイッチ部５５は、例えば、調光装置４０の調光状態を切替える切替えスイッチを備え、操作者が切替えスイッチを操作することで、調光装置４０の調光状態を切替える。操作者が切替えスイッチを操作することで、制御部５２に、スイッチ部５５からの操作入力信号が送られる。制御部５２は、この操作入力信号に基づいて、電源部５１に、調光装置４０の調光状態を切り替える。
【００５５】
スイッチ部５５は、上述したように、収容部２６内に配設されていてもよく、例えば、框２０の屋内側の表面における、操作者が操作可能な所定の位置に設けられていてもよい。
【００５６】
何れの場合にも、これら駆動装置５０における各部は、調光窓１における窓ガラス１１の組み込み部である組み込み部２４から独立して、該組み込み部２４とは別に配設されており、組み込み部２４を分解することなく交換および修理を行うことができるように設けられていることが望ましい。
【００５７】
調光装置４０の調光状態の切り替えは、このように、通信装置６１やスイッチ部５５から手動で行われてもよく、駆動装置５０に通信部５４やスイッチ部５５を設けず、駆動装置５０内にタイマ部（時計）を設けることで、調光装置４０の調光状態を例えば自動で定期的に切り替えてもよい。なお、タイマ部は、制御部５２とは別に設けられていてもよく、制御部５２内に設けられていても構わない。すなわち、タイマ部は、プログラムによって実現されていてもよい。
【００５８】
この場合、制御部５２は、例えば、記憶部５３に記憶されたタイムスケジュールに基づいて、調光装置４０の調光状態を切り替える。つまり、調光装置４０の調光状態は、記憶部５３に記憶されたタイムスケジュールに沿って自動的に制御される。
【００５９】
また、調光装置４０を近赤外線調光装置（近赤外線調光部）とするときは、例えば各地域の天気や気温のインターネット上の情報を反映して近赤外線の室内への取り込みを制御してもよい。通信部５４は、通信装置６１、または、図示しない外部装置と無線でデータ通信が可能であり、例えばインターネット上に設置されたサーバ装置（情報配信サーバ、管理サーバ、外部装置）から、インターネット等の通信ネットワークを介して、調光装置４０（つまり、上記調光窓１）を設置する住所に対応する天気や気温等の気候情報をサービスとして配信し、これを通信装置６１、または、直接、通信部５４で受信し、調光装置４０の制御に反映することができる。すなわち、上記通信部５４は、外部の通信端末である通信装置６１を介して、または、直接、サーバ装置とデータ通信を行い、取得した情報を、調光装置４０の調光に利用することができる。
【００６０】
制御部５２は、上記通信部５４を介して取得した上記気候情報に応じて、目的とする日射熱取得率（赤外線透過率）が得られるように、上記調光装置４０の駆動を制御する。
【００６１】
例えば、記憶部５３には、気候（天気、温度）と、調光装置４０に印加する電圧とを対応付けたＬＵＴ（Look Up Table：ルックアップテーブル）が記憶されている。制御部５２は、必要に応じて上記ＬＵＴを読み出すことで、上記ＬＵＴを用いて、電源部５１に印加すべき、上記通信部５４で取得した気候に応じた電圧を算出する。そして、目的とする日射熱取得率（赤外線透過率）が得られるように、電源部５１に、調光装置４０に印加する電圧を制御するための制御信号を送ることで、調光装置４０の調光を制御する。
【００６２】
また、通信装置６１または通信部５４を、インターネットに接続する代わりに、スマートメータに接続されたＨＥＭＳ（Home Energy Management System）に接続し、温度センサ等との組み合わせで室内温度や屋外温度や消費電力を管理し、調光装置４０の動作に反映させてもよい。ＨＥＭＳとは、各戸内の各家電における電力消費量の監視、節電のための各家電の制御、太陽光発電、燃料電池、蓄電器等の自家用電源の監視および制御、等を行う電力管理制御システム（外部装置）であり、予め設定された電力使用エリア内の電力使用量を管理し、制御する。すなわち、通信部５４は、ＨＥＭＳコントローラと接続することで、ＨＥＭＳによる管理・制御を行ってもよく、通信装置６１は、ＨＥＭＳコントローラそのものであってもよい。スマートメータは、通信機能を有する電力量計であり、スマートメータが計測した電力量は、計測日時と共に、ＨＥＭＳコントローラに送信される。ＨＥＭＳコントローラは、ユーザ宅の各家電（負荷機器）の電力消費量の監視、節電のための家電の制御等を行う制御機器である。
【００６３】
本実施形態によれば、上述したように、駆動装置５０の少なくとも一部、望ましくは、少なくとも電源部５１および制御部５２を含む、駆動装置５０の少なくとも一部が、開閉部２７で覆われた収容部２６内に配設されていることで、窓ガラス１１の組み込み部２４を分解することなく、これら構成要素の交換および修理を容易に行うことができる。
【００６４】
なお、本実施形態において、駆動装置５０は、少なくとも電源部５１および制御部５２を備えていればよく、記憶部５３、通信部５４、スイッチ部５５は、必須ではない。駆動装置５０には、これら記憶部５３、通信部５４、スイッチ部５５が設けられていてもよく、設けられていなくても構わない。また、同様に、通信装置６１も必須ではない。
【００６５】
＜収容部２６および開閉部２７＞
次に、上記収容部２６および開閉部２７についてより詳細に説明する。
【００６６】
収容部２６は、框２０の枠体内に設けられている。収容部２６は、框２０の室内側に、被収容物として上記電源部５１および制御部５２等が配設される空間部を形成する開口部２６ａを有している。
【００６７】
開閉部２７は、上記開口部２６ａを開閉自在に覆う蓋体である。開閉部２７は、框２０の室内側から上記開口部２６ａを開閉可能に設けられている。開閉部２７における室内側の表面２７ａは、例えば、框２０における室内側の表面２０ａと略面一になるように形成されている。
【００６８】
収容部２６は、例えば、調光装置４０に接続された配線７１を貫通させる配線貫通口２６ｂを防水シールした樹脂ケース等の防水処理部材で形成されていることが好ましい。
【００６９】
また、収容部２６と開閉部２７との間の隙間には、水等の侵入を防ぐため、例えばＯリング等の図示しない封止材が設けられていることが好ましい。
【００７０】
開閉部２７は、開口部２６ａを開閉自在に覆う蓋体であれば、特に限定されるものではなく、例えば、嵌め込み蓋であってもスライド蓋でもあってもよく、収容部２６に螺子等により着脱自在に固定されていても構わない。
【００７１】
開閉部２７を収容部２６に螺子留めする場合、螺子を締めたときに螺子が框２０における室内側の表面２０ａから突出しないように開閉部２７が設けられていることが、外観上、好ましい。
【００７２】
また、開閉部２７は、窓ガラス１１の組み込みに関係しない框の一部であり、框の一部を外すことで開閉自在に設けられていても構わない。
【００７３】
何れの場合にも、例えば電池交換等のために、重い調光窓１（障子）を例えばすべり出し窓から外すことなく、電源部５１および制御部５２等が配設された収容部２６を開閉することができさえすればよい。
【００７４】
なお、図１の（ａ）・（ｂ）では、下框２２に収容部２６および開閉部２７を設けた場合を例に挙げて図示したが、収容部２６および開閉部２７は、下框２２以外の框（例えば上框２１、または、左右の縦框２３・２３のうち何れか一方の縦框２３）に設けられていても構わない。
【００７５】
＜調光装置４０＞
次に、調光装置４０についてより詳細に説明する。
【００７６】
（調光装置４０の種類）
調光装置４０は、可視光を調光することで表示を切り替える表示部としてもよく、近赤外調光部とし、日射熱取得率を切り替えるようにしてもよい。
【００７７】
なお、太陽からの赤外線の大部分は近赤外線であり、日射熱取得率を制御することと近赤外線透過率を制御することは、ほぼ等しい。また、冬場は室内から赤外線が屋外に出るのを防ぐ必要がある。しかし、このときの赤外線の波長は１０μｍ程度であり、遠赤外線に分類される。
【００７８】
また、近赤外線透過の透明導電膜は、遠赤外線は反射するという特性を有する。すなわち、冬場に近赤外線を取り込むように調光装置４０を制御しても、室内の熱は輻射熱としては逃げないため、理想的な状態を得ることができる。なお、夏場に屋内に近赤外線が入らないように制御したときも、遠赤外線も同時に入らないため、理想的な状態を得ることができる。
【００７９】
調光装置４０を表示部とする場合、調光装置４０としては、偏光板を用いた液晶表示装置、ゲストホスト型液晶表示装置、高分子分散型液晶表示装置、エレクトロクロミック表示装置、エレクトロウェッティング表示装置、有機ＥＬ（エレクトロルミネッセンス）表示装置あるいは無機ＥＬ表示装置等のＥＬ表示装置であってもよい。
【００８０】
また、調光装置４０を近赤外調光部とする場合、調光方式としては、例えば、（１）近赤外反射または近赤外吸収を有する形状異方性部材を回転させることで調光する方式、（２）エレクトロクロミックにより発色と消色とを切り替える方式、（３）銀溶液のエレクトロクロミックで透明状態とミラー状態とを切り替える方式、（４）ＩＴＯ（tin doped indium oxide）やＡＺＯ（Aluminum doped Zinc Oxide）のナノ結晶による表面プラズモン共鳴の周波数を電圧印加で切り替えるエレクトロクロミック方式、（５）マグネシウム−ニッケル合金薄膜が接する中空層に水素を入れることで透明状態とミラー状態とを切り替えるガスクロミック方式等を用いることができる。
【００８１】
なお、上記調光方式として、上記（５）に示すガスクロミック方式を用いる場合、収容部２６内に、図示しないガス発生部材を配置することで、電源部５１および制御部５２以外に、ガス発生部材も開閉部２７から修理・交換が可能となるように調光窓１が設計されていてもよい。
【００８２】
また、上記（１）に示す、形状異方性部材を回転させる調光方式を用いる場合、上記調光装置４０としては、例えば、可視光および近赤外光を吸収する針状結晶を回転させることにより、該針状結晶がランダムな状態と電界に平行な状態とで外光の吸収を切り替える、ＳＰＤ（Suspended Particle Device：懸濁粒子装置）を使用してもよい。また、ＳＰＤに代えて、形状異方性部材を回転させることで調光する方式を用いた調光装置を使用してもよい。
【００８３】
（調光装置４０の概略構成）
以下では、調光装置４０が、形状異方性部材を回転させることで調光する調光方式を用いた近赤外調光装置（近赤外調光部）である場合を例に挙げて、調光装置４０の概略構成について、より具体的に説明する。しかしながら、本実施形態は、これに限定されるものではなく、上記調光装置４０としては、上述したように、調光機能を有する公知の各種装置を使用することができる。
【００８４】
図３は、本実施形態にかかる調光窓１における窓本体ユニット１０の要部の概略構成を示す他の断面図である。また、図４の（ａ）は、本実施形態にかかる調光装置４０の概略構成の一例を示す断面図であり、図４の（ｂ）は、本実施形態にかかる調光装置４０で使用される形状異方性部材１３２の一例を示す斜視図である。
【００８５】
調光装置４０は、図１の（ｂ）および図３に示すように、互いに対向して配置された一対の基板１１０・１２０と、これら一対の基板１１０・１２０間に配置された光変調層１３０（調光層）と、を備えた調光セルである。
【００８６】
基板１１０は、絶縁性基板１１１と電極１１２とを備えている。同様に、基板１２０は、絶縁性基板１２１と電極１２２とを備えている。
【００８７】
光変調層１３０は、電極１１２・１２２間に設けられ、媒体１３１と、媒体１３１に含有される複数の形状異方性部材１３２とを備えている。
【００８８】
絶縁性基板１１１・１２１には、例えば、透明なガラス基板あるいはプラスチック基板が用いられる。
【００８９】
なお、絶縁性基板１１１・１２１にガラス基板を用いる場合には、熱割れを防止するために、ガラスエッジはクリーンカットされており、研磨等により面取りを行っていてもよい。また、ガラス基板の熱割れを防止するために、ガラス基板と框２０（サッシ）とのクリアランスを確保した上で、該ガラス基板を、弾性シーリング材で保持することが好ましい。
【００９０】
電極１１２・１２２は、透明電極であり、例えば、ＩｎＴｉＯ（Titanium doped indium oxide）や、アナターゼ型二酸化チタンをシード層としたタンタル置換酸化スズ、ＩＴＯ（Indium Tin Oxide）、ＩＺＯ（Indium Zinc Oxide）、酸化亜鉛、酸化スズ等の透明導電膜により形成されている。
【００９１】
本実施形態では、調光装置４０を調光窓１の調光に使用することから、電極１１２・１２２としては、形状異方性部材１３２を、その近赤外光反射面が基板１１０・１２０の基板面に垂直に配向されるときになるべく高い近赤外光透過率を得るために、近赤外光吸収の少ない電極、さらに好ましくは、窓としての機能を持たせるため可視光吸収の少ない電極が好適に用いられる。
【００９２】
また、基板１１０・１２０のうち一方の基板における、他の基板との対向面には、スペーサ１４１が設けられている。基板１１０・１２０間にスペーサ１４１を設けることで、基板１１０・１２０間のセル厚を一定に保つことができる。また、図１の（ｂ）に示すように基板１１０・１２０を立てて設置する際に、媒体１３１よりも比重が大きい形状異方性部材１３２が沈降してしまい、基板面内の分布が偏ってしまうことを防ぐことができる。
【００９３】
基板１１０と基板１２０とは、両基板１１０・１２０の周縁部に設けられたシール材１４２で互いに貼り合わされている。
【００９４】
シール材１４２としては、例えば、ＵＶ（紫外線）硬化型の樹脂が好適に使用される。また、シール材１４２として、媒体１３１と接する内側には耐溶剤性のあるシール材を形成し、その外側に、接着力の強いシール材をさらに形成しておくことがより望ましい。
【００９５】
形状異方性部材１３２の形状としては、例えば、フレーク状、円柱状、あるいは楕円球状等を採用することができる。
【００９６】
図４の（ｂ）では、形状異方性部材１３２として、フレーク（フレーク状の粒子）を例に挙げて図示している。
【００９７】
上記フレークとしては、例えば、透過率を変更すべき波長が近赤外光である場合、近赤外反射特性を有する材料のフレーク、近赤外反射特性を有する材料をガラスや雲母等のベースフレークに設けたフレーク、ベースフレークに酸化チタン等の高屈折率層を形成し、その膜厚やベースフレークの厚さに依存する干渉光を近赤外光になるようにしたフレーク、近赤外線に表面プラズモン共鳴の吸収を持つ、例えば銀等のフレーク等を用いることができる。
【００９８】
なお、図４の（ｂ）では、上記形状異方性部材１３２（フレーク）として、近赤外反射特性を有する近赤外反射材料からなる近赤外反射層１３４がガラス層１３３上に設けられたフレークを例に挙げて図示している。
【００９９】
上述したように調光装置４０が近赤外調光装置である場合、形状異方性部材１３２は、例えば、その近赤外反射層１３４（近赤外光反射面）が、基板１１０・１２０の基板面に略平行に配向されるときに正反射が得られる形状および大きさ（径）を有していることが好ましい。本実施形態では、一例として、後述するように、約３５μｍ厚のガラス層１３３上に近赤外反射材料を蒸着し、これを粉砕することにより、約１２０μｍ径のフレークを作製した。
【０１００】
なお、上述したように調光装置４０が近赤外調光装置である場合、形状異方性部材１３２は、可視光領域に対しては吸収や反射があってもよいが、なくてもよい。吸収や反射がない状態、すなわち、目視状態で概ね透明であれば、調光窓１を近赤外遮断状態にしても透過状態にしても概ね透明であり、現在窓が設けられている建物や乗り物等において、該窓を、機能性を有する窓として、調光窓１と置き換えることが可能である。
【０１０１】
また、形状異方性部材１３２の比重は、例えば、媒体１３１と同等の比重であることが望ましい。比重の大きな中心材料に対して、樹脂等の比重の小さい材料を被覆するときは、被覆物の膜厚により、形状異方性部材１３２の平均的な比重を調整することが可能である。形状異方性部材１３２の比重が媒体１３１に比べて大きく異なるときは、形状異方性部材１３２が沈降するという問題がある。
【０１０２】
媒体１３１は、ガラスよりも比誘電率の高いものであればよく、好ましくは比誘電率２０以上がよい。
【０１０３】
窓としての機能を持たせるため、媒体１３１には、例えば、可視光領域において透過性を有する材料であり、可視光領域において概ね吸収のない液体や、それらを色素で着色したもの等が用いられる。また、媒体１３１の比重は、形状異方性部材１３２と同等であることが好ましい。
【０１０４】
また、媒体１３１は、単一の物質で形成されていてもよく、複数の物質の混合物で形成されていてもよい。媒体１３１としては、例えば、炭酸プロピレン、ＮＭＰ（Ｎ−メチル−２−ピロリドン）、フルオロカーボン、シリコーンオイル等を用いることができる。
【０１０５】
上述したように調光装置４０が近赤外調光装置である場合、媒体１３１としては、電極１１２・１２２同様、近赤外領域の吸収は弱い方がよい。また、媒体１３１の粘度が高いと、形状異方性部材１３２の状態を保持できる一方、駆動電圧が高くなるおそれがある。本実施形態にかかる調光システムが上述したように調光窓１である場合、その動作回数は１日に数回程度のものであり、仮に駆動電圧が高くても形状異方性部材１３２の状態を保持できることが低消費電力化に有利である場合は、媒体１３１として、形状異方性部材１３２の状態を保持できる粘度のものを用いることができる。なお、粘度を高めるには、シリコーンオイルやポリエチレングリコール等の単体で粘度が高い媒体を用いる他、ＰＭＭＡ（ポリメタクリル酸メチル）等を混合させたり、シリカ微粒子等のチキソ性を発現する材料を混合させたりしてもよい。
【０１０６】
＜調光装置４０の製造方法＞
以下に、本実施形態にかかる調光装置４０の製造方法の一例について、その材料と併せて具体的に説明する。
【０１０７】
本実施形態では、約３５μｍのガラス層１３３上に、近赤外反射層１３４として、近赤外反射特性を有するＩＴＯ（Indium Tin Oxide）を蒸着し、これを粉砕することにより、形状異方性部材１３２として、約１２０μｍ径のフレークを作製した。
【０１０８】
一方、絶縁性基板１１１・１２１としてガラス基板を使用し、該ガラス基板に、電極１１２・１２２として、ＩｎＴｉＯ（Titanium doped indium oxide）やアナターゼ型二酸化チタンをシード層としたタンタル置換酸化スズ等の、近赤外線を透過する透明導電膜を形成することにより、一対の基板１１０・１２０を作製した。
【０１０９】
なお、基板１１０・１２０のうち一方の基板には、セル厚を確保するために、スペーサ１４１を設けておくことが好ましい。そこで、本実施形態では、基板１１０・１２０のうち一方の基板に、例えば２００μｍ、高さ２００μｍのスペーサ１４１を、フォトリソグラフィにより形成した。
【０１１０】
次いで、炭酸プロピレンを媒体１３１とし、該媒体１３１に、形状異方性部材１３２として上記フレークを例えば２０ｗｔ％の割合で分散させた分散液（フレーク混合液）を、基板１１０・１２０のうち、シール材１４２を形成した、一方の基板上に滴下した。
【０１１１】
なお、上記分散液を滴下する基板には、シール材１４２として、例えばＵＶ硬化型の樹脂が形成されていることが好ましく、さらに好ましくは、媒体１３１と接する内側には耐溶剤性のあるシール材が形成され、その外側に、接着力の強いシール材が形成されていることが望ましい。
【０１１２】
上記２枚の基板１１０・１２０を貼り合せた後、シール材１４２を硬化させることで、本実施形態にかかる調光装置４０を作製した。
【０１１３】
なお、媒体１３１には、例えばシリカ微粒子を分散させる等の手法によりチキソトロピーを持たせてもよい。これにより、フレークの沈降を抑制できるとともに、動作状態にメモリ性を持たせ、電圧の印加頻度を下げることで、消費電力を低減することができる。
【０１１４】
＜光変調層１３０の近赤外光の透過率制御＞
次に、光変調層１３０による近赤外光の透過率の制御方法について、図５の（ａ）・（ｂ）を参照して具体的に説明する。ここでは、形状異方性部材１３２としてフレークを使用し、電圧により、フレークの配向状態を基板１１０・１２０に平行な状態と基板１１０・１２０に垂直な状態とで切り替えることで近赤外光の透過率を変更する場合について説明する。
【０１１５】
図５の（ａ）は、近赤外光反射状態を示す図であり、図５の（ｂ）は、近赤外光透過状態を示す図である。
【０１１６】
対向する電極１１２・１２２間に、例えば２Ｖの直流電圧（周波数＝０Ｈｚ）を印加すると、帯電したフレーク（形状異方性部材１３２）が電気泳動により一方の電極に集まるため、近赤外光反射状態が得られる。なお、このとき、電極１１２・１２２間に、直流電圧に代えて、例えば、１Ｈｚ以下の低周波の交流を印加することにより、いわゆる焼き付きを回避するようにしてもよい。
【０１１７】
なお、図５の（ａ）では、フレークが、屋外側の基板１１０における電極１１２に貼り付くように配向した例を示している。図５の（ａ）では、電源部５１のプラス側を電極１１２に接続し、電源部５１のマイナス側を電極１２２に接続しているが、これに限定されず、電源部５１のマイナス側を電極１１２に接続し、電源部５１のプラス側を電極１２２に接続してもよい。電源部５１のマイナス側を電極１１２に接続し、電源部５１のプラス側を電極１２２に接続した場合、フレークは、基板１２０に貼り付くように配向する。また、図５の（ａ）では、フレークに帯電する電荷の極性が負の場合を示しているが、これに限定されず、フレークに帯電する電荷の極性が正であってもよい。この場合にも、フレークが貼り付く基板が、図５の（ａ）の場合とは逆になる。
【０１１８】
このように、光変調層１３０に、周波数が０Ｈｚとなる直流、または、周波数が１Ｈｚ以下の低周波の交流を印加すると、電気泳動力やクーロン力で説明される力により、帯電性を有するフレークは、その帯電した電荷の極性と逆極性の電荷が帯電された電極付近に吸い寄せられる。そして、フレークは、最も安定した配向をとり、基板１１０または基板１２０に貼り付くように回転する。このように、フレークが、その長軸が基板１１０・１２０に平行になるように配向することで、基板１１０側から光変調層１３０へ入射された光は、フレークにより遮断され、光変調層１３０を透過（通過）しない。
【０１１９】
一方、対向する電極１１２・１２２間に、例えば６０Ｈｚ、５Ｖの高周波の交流電圧を印加すると、誘電泳動現象、クーロン力または電気エネルギー的な観点から説明される力により、フレークは、図５の（ｂ）に示すように、基板１１０・１２０に垂直な方向に動作し、近赤外光透過状態が得られる。
【０１２０】
つまり、光変調層１３０に、高周波として例えば周波数６０Ｈｚの交流電圧を印加すると、フレークは、その長軸が電気力線に平行になるように回転する。すなわち、フレークは、その長軸が基板１１０・１２０に垂直になるように配向する。これにより、基板１１０側から光変調層１３０へ入射された光は、光変調層１３０を透過（通過）して、基板１２０側から出射される。
【０１２１】
なお、形状異方性部材１３２の配向状態が切り替わる周波数は、形状異方性部材１３２の形状および材質、光変調層１３０の厚み（セル厚）等により、予め設定される。
【０１２２】
図６の（ａ）・（ｂ）は、実際に作製した調光装置４０（調光セル）における対向する電極１１２・１２２間に電圧を印加したときの平面視でのフレークの配向状態を撮影した顕微鏡写真を示す図であり、図６の（ａ）は、上記電極１１２・１２２間に２Ｖの直流電圧を印加したときを示し、図６の（ｂ）は、上記電極１１２・１２２間に、６０Ｈｚ、５Ｖの交流電圧を印加したときを示す。なお、ここでは、前述した製造方法にしたがって調光装置４０を作製した。
【０１２３】
図６の（ａ）に示すように、上記電極１１２・１２２間に直流電圧を印加した場合、フレークは基板１１０・１２０と平行な方向に概ね配向している。このため、調光セルに入射した近赤外光は、光の入射側に反射される。
【０１２４】
一方、図６の（ｂ）に示すように、上記電極１１２・１２２間に、高周波の交流電圧を印加した場合、フレークが基板１１０・１２０に垂直な方向に配向する。このため、図６の（ｂ）では、平面視で、フレークの断面が見えている。このため、調光セルに入射した近赤外光は、光の入射側とは反対側に向かって調光セルを透過する。
【０１２５】
本実施形態では、前述したように、調光装置４０は、屋外側に基板１１０が配置され、屋内側に基板１２０が配置されている。このため、図５の（ａ）および図６の（ａ）に示す近赤外光反射状態では、屋外から入射した近赤外光は、調光装置４０内の形状異方性部材１３２のフレーク面で正反射し、効率的に入射側に反射される。
【０１２６】
一方、図５の（ｂ）および図６の（ｂ）に示す近赤外光透過状態では、屋外から入射した近赤外光は、屋内側に透過する。このとき、上記近赤外光透過状態では、屋外からの近赤外光は、図５の（ｂ）に示すように基板１１０の基板面（入射側）に斜め方向から入射されても、形状異方性部材１３２のフレーク面によって反射され、屋内側の基板１２０に入射される。
【０１２７】
＜形状異方性部材１３２の配向のタイムスケジュール＞
上述したように形状異方性部材１３２の配向状態を、基板１１０・１２０に平行な状態と基板１１０・１２０に垂直な状態とで切り替えることで近赤外光反射状態と近赤外光透過状態とを切り替える場合、調光装置４０は、通信部５４あるいはスイッチ部５５からの信号に基づいて近赤外光反射状態と近赤外光透過状態とを切り替えるようにしてもよいし、予め設定したタイムスケジュールに応じて近赤外光反射状態と近赤外光透過状態とを切り替えるようにしてもよい。
【０１２８】
後者の場合、例えば、制御部５２は、記憶部５３に記憶されたタイムスケジュールに基づいて、形状異方性部材１３２の配向状態を制御する。つまり、形状異方性部材１３２の配向状態は、記憶部５３に記憶されたタイムスケジュールに沿って自動的に制御される。
【０１２９】
具体的には、電源部５１を制御して、調光装置４０に電圧を印加することで、上記形状異方性部材１３２の上記一対の基板１１０・１２０への投影面積を変化させて、近赤外光の反射状態と透過状態との切り替えを制御する。この制御を上記タイムスケジュールに応じて実行する。
【０１３０】
＜調光装置４０の配置＞
前述したように、調光装置４０は、グレーチングチャンネル３１により、框２０の組み込み部２４に設けられた凹部２５内に固定されることで、框２０の枠内に保持される。
【０１３１】
調光装置４０は、窓ガラス１１の板面に垂直な方向から見たときに、窓ガラス１１の板面に重畳するように、窓ガラス１１に対向配置される。
【０１３２】
このとき、調光装置４０は、図３に示すように、例えば、糊剤やＵＶ硬化樹脂等の接着剤層７２（貼着層）で窓ガラス１１に貼り付けられていてもよい。
【０１３３】
なお、絶縁性基板１１１・１２１がプラスチック基板で形成されていると、調光装置４０を少し反らしながら窓ガラス１１に貼り付けることができる。このため、この場合、調光装置４０を、気泡が噛まないように窓ガラス１１に貼り付け易いという利点がある。
【０１３４】
また、上述したように、調光装置４０が、シール材１４２で貼り合わされた一対の基板１１０・１２０を備えている場合、シール材１４２は、図３に示すように、グレーチングチャンネル３１と対向する位置に配置されていることが好ましい。これにより、一対の基板１１０・１２０間に、シール材１４２として、例えば、強度が強い樹脂製シール材が存在する部分にグレーチングチャンネル３１の圧力がかかるように調光装置４０を設置することができる。さらに、シール材１４２が外部から見えないことにより、意匠性の高い調光窓１を形成することができる。
【０１３５】
なお、図示はしないが、調光装置４０は、シール材１４２が、グレーチングチャンネル３１よりも窓本体ユニット１０の内側、すなわち、框２０の内側に、グレーチングチャンネル３１と対向しないように配置されていてもよい。
【０１３６】
シール材１４２の外側には、光変調層１３０は存在しない。このため、シール材１４２をグレーチングチャンネル３１よりも框２０の枠の内側（つまり、中央寄り）に配置することで、グレーチングチャンネル３１の圧力がかかる部分は、一対の基板１１０・１２０のうち一方の基板のみが形成された構成とするか、もしくは、配線７１または配線用のフレキシブル基板が配置されるように調光装置４０を形成することができる。
【０１３７】
＜電極１１２・１２２の変形例＞
調光装置４０を近赤外線調光部のように表示を目的としないようなものとした場合、１つの透明電極に対して、電極取出し部は、一個所であってもよく、複数個所であってもよい。
【０１３８】
１つの透明電極に対して、電極取出し部が一個所である場合は、調光装置４０の組立工程が簡略化されるとともに、配線７１の引き回しを簡素にすることができる。
【０１３９】
一方、電極取出し部を複数個所設けた場合には、例えば調光装置４０の光変調層１３０（調光層）に抵抗成分がある場合（すなわち、電流が流れるような場合）にも、配線７１の接続部分から遠い場所の光変調層１３０の動作を確実にでき、部分的な応答速度の遅延を防ぐことができる。
【０１４０】
例えば、光変調層１３０における媒体１３１として電気抵抗が低いものを用いた場合、電極面において、電源部５１から延出された各配線７１の端子から遠い部分に向かって電圧降下が起きる。このため、電源部５１から所定の電圧を印加しても、電極１１２・１２２における、電源部５１から遠い部分（つまり、各配線７１の端子から遠い部分）には、調光装置４０の駆動に必要な電圧が印加されず、フレークが動作し難くなる。
【０１４１】
そこで、電極１１２・１２２を分割して個々の面積を小さくすることで、電極面内にあるフレーク層全体に、駆動に必要な電圧を印加することができる。
【０１４２】
図７の（ａ）・（ｂ）は、光変調層１３０に電圧を印加する電極を分割して形成した例を示す図である。なお、図７の（ａ）・（ｂ）では、一例として、電極１２２を分割した場合を例に挙げて図示している。
【０１４３】
図７の（ａ）に示すように、基板１２０における電極１２２を、基板面内で複数の電極１２２ａに分割している場合、各電極１２２ａを引き回して電極取出し部１２３に集約してもよい。このとき、各電極１２２ａの引き回し部１２２ｂは、例えばシール材１４２の下（すなわち、シール材１４２に重なる部分）や、シール材１４２よりも外側に配置する等、光変調層１３０が動作する部分から外すことで、不要な電圧降下を回避することができる。
【０１４４】
また、図７の（ｂ）に示すように、基板１２０における電極１２２を、基板面内で複数の電極１２２ａに分割している場合、複数に分割した電極１２２ａそれぞれに対して、引き回し部１２２ｂで引き回すことなく、電極取出し部１２３を設け、各電極取出し部１２３に配線７１を直接接続してもよい。
【０１４５】
このように電極１２２を複数の電極１２２ａに分割する場合、該電極１２２に対向する電極１１２は、電極１２２と同様に分割してもよいし、分割していなくてもよい。なお、電極１１２のみを分割してもよいことは、言うまでもない。
【０１４６】
＜窓本体＞
なお、本実施形態では、透光性部材である窓本体が窓ガラス１１である場合を例に挙げて説明した。しかしながら、本実施形態は、これに限定されるものではなく、窓本体として、ガラス部材（ガラス板）からなる窓ガラス１１に代えて、透明樹脂等の透光性樹脂からなる透光性板材等を用いてもよい。
【０１４７】
＜調光システム＞
また、本実施形態では、本実施形態にかかる調光システムが調光窓１である場合を例に挙げて説明した。しかしながら、本実施形態は、これに限定されるものではなく、上記調光システムとしては、調光機能を有する、例えば、衝立、戸、ショーケース等であってもよい。
【０１４８】
例えば、ガラス衝立、ガラス戸、ガラスショーケース等におけるガラス部材を本実施形態にかかる透光性部材として用いることで、これら物品に、調光機能を持たせることができる。
【０１４９】
また、本実施形態では、調光装置４０が近赤外線調光装置である場合を例に挙げて説明したが、調光装置４０によって調光される光の波長は、特に限定されるものではなく、例えば形状異方性部材１３２の材料や、基板１１０・１２０の層構成等を変更することで、用途等に応じて、適宜変更することができる。
【０１５０】
また、本実施形態では、調光装置４０の調光状態を、近赤外光反射状態と近赤外光透過状態とで切り替えることで近赤外光の透過率を変更する場合を例に挙げて説明したが、本実施形態は、これに限定されるものではない。
【０１５１】
例えば、形状異方性部材１３２の材料や、基板１１０・１２０の層構成、駆動電圧等を変更することで、調光装置４０の調光状態を、光透過状態とすることもできるし、散乱による光反射状態とすることもできるし、ミラー反射による光反射（鏡面）状態とすることもできるし、光吸収（黒色）状態とすることもできる。
【０１５２】
また、前述したように、調光装置４０は、表示装置であってもよい。
【０１５３】
何れにしても、本実施形態によれば、調光装置４０を駆動する駆動装置５０の少なくとも一部が、調光システムにおける透光性部材を支持する支持体の支持部（組み込み部）とは別に配設されていることで、上記支持体を分解しなくても容易に電池交換や部品交換、修理等を行うことができる調光システムを提供することができる。
【０１５４】
また、本実施形態では、調光システムが調光窓であり、光源として外光（自然光）を利用する場合を例に挙げて説明した。しかしながら、調光システムが、ガラス衝立等、屋内で使用される物品である場合、上記調光システムは、光源として、室内灯を使用してもよく、上記調光システムが、光源として人工光源を備えている構成としても構わない。
【０１５５】
また、調光システムが調光窓である場合、上記調光窓１は、引き違い窓であってもよく、あるいは、左右開き窓、観音開き窓、上げ下げ窓、はめ殺し窓、回転窓、外倒し窓、内倒し窓等、その他の窓であってもよい。本実施形態では、框を分解する必要がないため、はめ殺し窓のような固定窓であっても駆動装置５０の修理や電池交換等が可能であり、そのような窓を調光窓に置き換えることが可能である。
【０１５６】
〔実施形態２〕
本発明の他の実施形態について、主に図８および図９に基づいて説明すれば、以下の通りである。なお、本実施形態では、実施形態１との相違点について説明するものとし、実施形態１で用いた構成要素と同一の機能を有する構成要素には同一の番号を付し、その説明を省略する。
【０１５７】
なお、本実施形態でも、本実施形態にかかる調光システムが調光窓である場合を例に挙げて説明するが、本実施形態は、これに限定されるものではない。
【０１５８】
＜調光窓１の概略構成＞
図８は、本実施形態にかかる調光窓１の要部の概略構成を示す断面図である。また、図９は、本実施形態にかかる調光窓１における窓本体ユニット１０の要部の概略構成を示す断面図である。
【０１５９】
本実施形態にかかる調光窓１は、以下に示す点を除けば、実施形態１にかかる調光窓１と同じ構成を有している。
【０１６０】
実施形態１にかかる調光窓１は、透光性部材（窓本体）として、単板ガラス（窓ガラス１１）を備えている。これに対し、本実施形態にかかる調光窓１は、二重窓であり、図８および図９に示すように、窓本体（透光性部材）として、窓ガラス１１・１２からなる複層ガラスを備えている。
【０１６１】
窓ガラス１１・１２は、同じ外形を有している。窓ガラス１１・１２は、窓ガラス１１・１２の板面に垂直な方向から見たときに、調光装置４０を挟んで、窓ガラス１１（第１の透光性部材）の板面に窓ガラス１２（第２の透光性部材）の板面が重畳するように、スペーサ３２を介して互いに離間して対向配置されている。
【０１６２】
このため、本実施形態にかかる調光窓１（調光システム）は、窓ガラス１１・１２（窓本体、透光性部材）、框２０（支持体）、グレーチングチャンネル３１、スペーサ３２、調光装置４０、駆動装置５０（図２参照）、および通信装置６１（図２参照）を備えている。
【０１６３】
なお、窓ガラス１１・１２は、同じ材料で形成されていてもよく、互いに異なる材料で形成されていても構わない。また、窓ガラス１１・１２の厚みは、互いに同じであってもよく、異なっていても構わない。
【０１６４】
窓ガラス１１は、屋外に面して配置されており、窓ガラス１２は、屋内に面して配置されている。
【０１６５】
本実施形態のように複層ガラスからなる窓本体に対して調光装置４０を設ける場合、２枚の窓ガラス１１・１２の間に調光装置４０を設けることで、調光装置４０の破損を避けることができる。
【０１６６】
なお、本実施形態でも、調光装置４０は、図９に示すように、例えば、糊剤やＵＶ硬化樹脂等の接着剤層７２（貼着層）で窓ガラス１１に貼り付けられていてもよい。
【０１６７】
例えば調光装置４０を近赤外線調光部とする場合、調光装置４０を、屋外側の窓ガラス１１に貼り付けることで、太陽からの近赤外光が、窓ガラス１１と窓ガラス１２との間の空間部に到達する前に近赤外光を遮断することができる。したがって、この場合、夏場に高い遮熱効果を得ることができる。
【０１６８】
スペーサ３２には、例えば乾燥剤入りのアルミスペーサや樹脂スペーサ等、既存のスペーサを用いることができる。
【０１６９】
本実施形態では、調光装置４０が屋外側の窓ガラス１１における、窓ガラス１２との対向面に貼り付けられていることで、スペーサ３２は、調光装置４０と窓ガラス１２との間に配置されている。
【０１７０】
グレーチングチャンネル３１は、調光装置４０が貼り付けられた窓ガラス１１と窓ガラス１２とを挟むように、窓ガラス１１・１２の周囲に巻き付けられている。窓ガラス１１・１２および調光装置４０は、図８に示すように、グレーチングチャンネル３１により、框２０の組み込み部２４に設けられた凹部２５内に固定されることで、框２０の枠内に保持されている。
【０１７１】
窓ガラス１１・１２および調光装置４０は、スペーサ３２およびグレーチングチャンネル３１により一体化されている。本実施形態では、窓本体ユニット１０は、窓ガラス１１・１２、調光装置４０、スペーサ３２、およびグレーチングチャンネル３１を含み、これら窓ガラス１１・１２、調光装置４０、スペーサ３２、およびグレーチングチャンネル３１は、一つの窓本体ユニット１０として、一体的に、框２０に組み付けられている。
【０１７２】
このため、図９に示すように、調光装置４０が、実施形態１で示したような、シール材１４２で貼り合わされた一対の基板１１０・１２０を備えている場合、シール材１４２は、グレーチングチャンネル３１およびスペーサ３２と対向する位置に配置されていることが好ましい。これにより、一対の基板１１０・１２０間に、シール材１４２として、例えば、強度が強い樹脂製シール材が存在する部分にグレーチングチャンネル３１およびスペーサ３２の圧力がかかるように調光装置４０を設置することができる。さらに、シール材１４２が外部から見えないことにより、意匠性の高い調光窓１を形成することができる。
【０１７３】
なお、図示はしないが、調光装置４０は、シール材１４２が、グレーチングチャンネル３１およびスペーサ３２よりも窓本体ユニット１０の内側、すなわち、框２０の枠の内側に、グレーチングチャンネル３１およびスペーサ３２と対向しないように配置されていてもよい。
【０１７４】
これにより、グレーチングチャンネル３１およびスペーサ３２の圧力がかかる部分は、一対の基板１１０・１２０のうち一方の基板のみが形成された構成とするか、もしくは、配線７１または配線用のフレキシブル基板が配置されるように調光装置４０を形成することができる。
【０１７５】
なお、上述したように窓本体として複層ガラスを用いたことで、本実施形態にかかる調光窓１には、少なくとも例えばガラスのような固体と例えば空気のような気体との界面が４つ形成される。これらの界面においては、界面反射が起こるため、可視光線を含む光の透過率が低くなる。このため、これらの界面には、反射防止膜が形成されていることが好ましい。例えば、図９に示すように、窓ガラス１１に調光装置４０を貼り付ける場合、調光装置４０における窓ガラス１２との対向面に反射防止膜８１を形成することが好ましい。
【０１７６】
なお、勿論、窓ガラス１１・１２における空気との界面の少なくとも１つに反射防止膜８１が設けられていてもよく、上記４つの界面のうち全ての界面に反射防止膜８１が設けられていても構わない。
【０１７７】
上記反射防止膜８１としては、例えば、ＡＲ（Anti Reflective）フィルムやＬＲ（Low Reflective）フィルム、モスアイフィルム等、既存の反射防止膜を用いることができる。
【０１７８】
〔実施形態３〕
本発明の他の実施形態について、主に図１０に基づいて説明すれば、以下の通りである。なお、本実施形態では、実施形態１、２との相違点について説明するものとし、実施形態１、２で用いた構成要素と同一の機能を有する構成要素には同一の番号を付し、その説明を省略する。
【０１７９】
なお、本実施形態でも、本実施形態にかかる調光システムが調光窓である場合を例に挙げて説明するが、本実施形態は、これに限定されるものではない。
【０１８０】
＜調光窓１の概略構成＞
図１０は、本実施形態にかかる調光窓１における窓本体ユニット１０の要部の概略構成を示す断面図である。
【０１８１】
本実施形態にかかる調光窓１は、以下に示す点を除けば、実施形態１、２にかかる調光窓１と同じ構成を有している。
【０１８２】
本実施形態にかかる調光窓１は、図１０に示すように、実施形態２同様、窓本体（透光性部材）として、窓ガラス１１・１２からなる複層ガラスを備えている。
【０１８３】
調光装置４０は、窓ガラス１１と窓ガラス１２との間に、窓ガラス１１・１２とは離間して設けられている。
【０１８４】
調光装置４０は、トリプルガラスの中央のガラスの代わりとして、その両側をスペーサ３２・３２で保持する等、接着剤層（粘着層）を使用せずに設置されている。スペーサ３２には、実施形態２同様、既存のスペーサを用いることができる。
【０１８５】
本実施形態でも、２枚の窓ガラス１１・１２の間に調光装置４０を設けることで、調光装置４０の破損を避けることができる。
【０１８６】
本実施形態では、グレーチングチャンネル３１は、調光装置４０が間に配置された窓ガラス１１と窓ガラス１２とを挟むように、窓ガラス１１・１２の周囲に巻き付けられている。
【０１８７】
窓ガラス１１・１２および調光装置４０は、スペーサ３２・３２およびグレーチングチャンネル３１により一体化されている。本実施形態では、窓本体ユニット１０は、窓ガラス１１・１２、調光装置４０、スペーサ３２・３２、およびグレーチングチャンネル３１を含み、これら窓ガラス１１・１２、調光装置４０、スペーサ３２・３２、およびグレーチングチャンネル３１は、一つの窓本体ユニット１０として、一体的に、框２０に組み付けられる。
【０１８８】
このため、図１０に示すように、調光装置４０が、実施形態１で示したような、シール材１４２で貼り合わされた一対の基板１１０・１２０を備えている場合、シール材１４２は、グレーチングチャンネル３１およびスペーサ３２・３２と対向する位置に配置されているか、もしくは、グレーチングチャンネル３１およびスペーサ３２・３２よりも窓本体ユニット１０の内側、すなわち、框２０の枠の内側に、グレーチングチャンネル３１およびスペーサ３２・３２と対向しないように配置されていることが好ましい。
【０１８９】
図１０では、シール材１４２がグレーチングチャンネル３１およびスペーサ３２・３２よりも框２０の枠の内側に配置されている場合を例に挙げて図示しているが、図３および図９で例示したように、シール材１４２が、グレーチングチャンネル３１やスペーサ３２と対向する位置に配置されていてもよい。
【０１９０】
シール材１４２がグレーチングチャンネル３１およびスペーサ３２・３２よりも框２０の枠の内側に配置されている場合、図１０に示すように、グレーチングチャンネル３１およびスペーサ３２・３２の圧力がかかる部分は、一対の基板１１０・１２０のうち一方の基板のみが形成された構成とすることができる。また、この場合、グレーチングチャンネル３１およびスペーサ３２・３２の圧力がかかる部分は、配線７１または配線用のフレキシブル基板が配置されるように調光装置４０を形成することもできる。
【０１９１】
なお、図１０に示すように調光装置４０を２枚の窓ガラス１１・１２の中央に配置したトリプルガラス構成の調光窓１では、少なくとも例えばガラスのような固体と例えば空気のような気体との界面が６つ形成される。これらの界面においては、界面反射が起こるため、可視光線を含む光の透過率が低くなる。このため、図１０に示すように、調光装置４０を２枚の窓ガラス１１・１２の中央に配置した場合には、例えば、調光装置４０の両表面に反射防止膜８１を形成することが好ましい。
【０１９２】
なお、勿論、窓ガラス１１・１２における空気との界面の少なくとも１つに反射防止膜８１が設けられていてもよく、上記６つの界面のうち全ての界面に反射防止膜８１が設けられていても構わない。
【０１９３】
〔実施形態４〕
本発明のさらに他の実施形態について、主に図１１および図１２の（ａ）・（ｂ）に基づいて説明すれば、以下の通りである。なお、本実施形態では、実施形態１〜３との相違点について説明するものとし、実施形態１〜３で用いた構成要素と同一の機能を有する構成要素には同一の番号を付し、その説明を省略する。
【０１９４】
なお、本実施形態でも、本実施形態にかかる調光システムが調光窓である場合を例に挙げて説明するが、本実施形態は、これに限定されるものではない。
【０１９５】
＜調光窓１の概略構成＞
図１１は、本実施形態にかかる調光窓１の要部の概略構成を示す正面図である。また、図１２の（ａ）・（ｂ）は、本実施形態にかかる調光窓１の要部の概略構成を示す断面図であり、図１２の（ａ）は、調光窓１の解錠時の状態を示し、図１２の（ｂ）は、調光窓１の施錠時の状態を示す。
【０１９６】
本実施形態にかかる調光窓１は、以下に示す点を除けば、実施形態１〜３にかかる調光窓１と同じ構成を有している。
【０１９７】
本実施形態にかかる調光窓１は、横方向にスライドさせて開閉する引き違い窓であり、窓枠７内でスライド自在に設けられた第１調光窓２および第２調光窓３を備えている。
【０１９８】
第１調光窓２は、操作者から見て前面（手前）側に設けられた手前側障子であり、第２調光窓３は、操作者から見て第１調光窓２の背面（奥）側に設けられた奥側障子である。
【０１９９】
第１調光窓２は、窓本体ユニット１０Ａと、窓本体ユニット１０Ａを支持する框２０Ａ（第１框）と、を備えている。また、第２調光窓３は、窓本体ユニット１０Ｂと、窓本体ユニット１０Ｂを支持する框２０Ｂ（第２框）と、を備えている。
【０２００】
窓本体ユニット１０Ａ・１０Ｂは、実施形態１〜３における窓本体ユニット１０と同じ構成を有している。
【０２０１】
框２０Ａ・２０Ｂは、図１１に示すように、框２０Ａにおける一方の縦框２３にのみ開閉部２７が設けられていることを除けば、実施形態１〜３における框２０と同じ構成を有している。
【０２０２】
すなわち、本実施形態にかかる調光窓１（調光システム）は、窓本体ユニット１０Ａ・１０Ｂ、框２０Ａ・２０Ｂ（支持体）、駆動装置５０、および通信装置６１を備えている。
【０２０３】
窓本体ユニット１０Ａは、透光性部材として、ガラスまたは透明樹脂等の透光性材料からなる少なくとも１枚の窓本体（第１窓本体）を備えるとともに、調光装置として、該窓本体に対向配置された調光装置４０（第１調光部、第１調光装置）を備えている。
【０２０４】
また、窓本体ユニット１０Ｂは、透光性部材として、ガラスまたは透明樹脂等の透光性材料からなる少なくとも１枚の窓本体（第２窓本体）を備えるとともに、調光装置として、該窓本体に対向配置された調光装置４０（第２調光部、第２調光装置）を備えている。
【０２０５】
第１調光窓２と第２調光窓３とは、引き違い窓である調光窓１を開けることで、第１調光窓２における框２０Ａの枠内の窓本体ユニット１０Ａと、第２調光窓３における框２０Ｂ内の窓本体ユニット１０Ｂとが正面視で重なり合い、該調光窓１が閉まった状態では、召合せ框である、第１調光窓２における、調光窓１の内側に位置する縦框２３と、召合せ框である、第２調光窓３における、調光窓１の内側に位置する縦框２３とが、正面視で重なり合うようになっている。
【０２０６】
なお、ここで、正面視とは、窓本体ユニット１０Ａ・１０Ｂにおける窓本体（例えば窓ガラス１１）の板面に垂直な方向から見たときを示す。
【０２０７】
調光窓１の断面方向から見た場合には、上記引き違い窓（調光窓１）を開けることで、上記窓本体ユニット１０Ａと窓本体ユニット１０Ｂとが重畳し、上記引き違い窓を閉めると、召合せ框である上記各縦框２３同士が互いに接触する。
【０２０８】
なお、第１調光窓２は、第１調光窓２と第２調光窓３とが重なるときに屋内側に位置し、第２調光窓３は、第１調光窓２と第２調光窓３とが重なるときに屋外側に位置するように配置されている。すなわち、第１調光窓２は、屋内側障子あり、第２調光窓３は、屋外側障子であると言い換えることができる。
【０２０９】
本実施形態では、図１１に示すように、上記引き違い窓を閉めたときに重なり合う縦框２３（つまり、召合せ框）のうち、操作者側となる、屋内側に位置する縦框２３の表面の一部に開閉部２７を設ける。
【０２１０】
開閉部２７は、この引き違い窓を閉めたときに屋内側に位置する一方の第１調光窓２のみに設けられる。駆動装置５０は、この開閉部２７で覆われた、第１調光窓２に設けられた収容部２６内に設けられる。
【０２１１】
また、本実施形態では、第１調光窓２には、第２調光窓３に対する接続部および該接続部に接続された配線が設けられている。一方、第２調光窓３には、第１調光窓２に対する接続部および該接続部に接続された配線が設けられている。
【０２１２】
第１調光窓２における接続部は、第１調光窓２における召合せ框である縦框２３における、第２調光窓３との対向面に設けられている。
【０２１３】
一方、第２調光窓３における接続部は、第２調光窓３における召合せ框である縦框２３における、第１調光窓２との対向面に設けられている。
【０２１４】
本実施形態では、上記引き違い窓を閉めたとき、すなわち第１調光窓２および第２調光窓３のそれぞれの召合せ框が重なり合ったとき、第１調光窓２の接続部と第２調光窓３の接続部とが接触することで、第１調光窓２の接続部と第２調光窓３の接続部とが電気的に繋がる。
【０２１５】
第１調光窓２および第２調光窓３の各窓本体ユニット１０Ａ・１０Ｂにおける調光装置４０は、第１調光窓２の接続部と第２調光窓３の接続部とが接触することで、それぞれ、上記接続部を介して電源部５１に電気的に接続される。
【０２１６】
したがって、本実施形態では、上記引き違い窓を閉めた状態で、第１調光窓２に設けられたスイッチ部５５等を操作することで、第１調光窓２の窓本体ユニット１０Ａにおける調光装置４０と、第２調光窓３の窓本体ユニット１０Ｂにおける調光装置４０とを、同時に、あるいは個別に、操作することができる。
【０２１７】
なお、第１調光窓２における接続部と第２調光窓３における接続部との接続を確実にしたり、駆動装置５０が設けられた第１調光窓２に設けられた接続部に接触した際の漏電や感電を回避したりするために、上記接続部の接続は、上記引き違い窓に設けられた錠の開閉（つまり、解錠または施錠）動作と同期させる等、上記引き違い窓の開閉とは別の操作を必要とするようにしてもよい。
【０２１８】
例えば、図１１に示すように、上記引き違い窓に、錠としてクレセント錠４が設けられている場合、クレセント錠４の開閉動作に伴って、第１調光窓２における接続部と第２調光窓３における接続部とが電気的に接続または切断されるように、上記各接続部が形成されていてもよい。
【０２１９】
例えば、図１２の（ａ）・（ｂ）に示す例では、クレセント錠４におけるクレセント回転軸５に、クレセント錠４を回転させたときに第１調光窓２における接続部２２１に当接する当接部材６を設けている。
【０２２０】
接続部２２１は、第２調光窓３における接続部２１１と対向配置されている。接続部２１１・２２１は、それぞれ、金属等の導電性部材で形成されている。
【０２２１】
接続部２１１には、配線７１に代えて、接続部２１１と窓本体ユニット１０Ｂにおける調光装置４０とを接続する複数の配線２１２が設けられている。また、接続部２２１には、配線７１に代えて、接続部２２１と窓本体ユニット１０Ａにおける調光装置４０とを接続する複数の配線２２５が設けられている。また、接続部２２１には、上記接続部２２１と窓本体ユニット１０Ａにおける調光装置４０とを接続する配線２２５とは別に、上記接続部２２１と電源部５１とを接続する複数の配線２２５が設けられている。
【０２２２】
接続部２２１は、一対のバネ支持部２２２・２２３間に配置されている。接続部２１１に対向するバネ支持部２２２には、開口部２２２ａが設けられている。
【０２２３】
接続部２２１は、開口部２２２ａよりも小さく、接続部２２１には、ストッパとして、開口部２２２ａよりも大きな径を有する板状のフリンジ部２２６が設けられている。フリンジ部２２６とバネ支持部２２２との間、並びに、フリンジ部２２６とバネ支持部２２３との間には、それぞれバネ２２４が設けられている。
【０２２４】
クレセント錠４を解錠した状態では、図１２の（ａ）に示すように、接続部２１１と接続部２２１とは非接触状態にある。
【０２２５】
クレセント錠４を施錠するため、図１２の（ｂ）に示すように、クレセント錠４を回転させると、クレセント回転軸５に設けられた当接部材６が接続部２２１に当接する。当接部材６によって接続部２２１が押されると、バネ支持部２２２とフリンジ部２２６との間に設けられたバネ２２４が縮むことで、接続部２２１は、クレセント錠４を回転させる操作に同期して、開口部２２２ａから、対向する第２調光窓３の縦框２３に向かって押し出される。これにより、接続部２１１と接続部２２１とが接触する。
【０２２６】
クレセント錠４を解錠すると、当接部材６によって押されていた接続部２２１は、バネ２２４の付勢が解かれることで、バネ２２４が元に戻る力により後退する。これにより、接続部２１１と接続部２２１とが離間し、接続部２１１と接続部２２１との電気的接続が解除される。
【０２２７】
なお、本実施形態では、接続部２１１と接続部２２１とが、上記引き違い窓を閉めたときに互いに重なり合う縦框２３の互いの対向面に設けた場合を例に挙げて説明したが、本実施形態は、これに限定されるものではない。これら接続部２１１・２２１は、上記引き違い窓を閉めたときに互いに重なり合う縦框２３に設けられた、クレセント錠４のクレセント部と受け部とに設けられていてもよい。
【０２２８】
＜変形例＞
なお、本実施形態では、調光窓１が引き違い窓である場合を例に挙げて説明したが、本実施形態は、調光窓１を閉めたときに互いに接し合う召合せ框を有する可動窓全般に適用が可能である。すなわち、第１調光窓２と第２調光窓３とは、縦方向にスライドする上げ下げ窓であってもよい。この場合にも、スライド方向が異なるだけで、本実施形態と同様の効果を得ることができる。
【０２２９】
また、本実施形態では、調光窓１が第１調光窓２と第２調光窓３とを有し、窓枠７内に、第１調光窓２と第２調光窓３とが設けられている場合を例に挙げて説明したが、本実施形態はこれに限定されるものではない。例えば、調光窓１は、第１調光窓２および第２調光窓３に加えて、例えば、図示しない第３調光窓を備えていてもよく、窓枠７内に配置される調光窓の枚数は、３枚以上であっても構わない。
【０２３０】
また、本実施形態では、第１調光窓２における框２０Ａと第２調光窓３における框２０Ｂの位置一方の框２０Ａにのみ開閉部２７および収容部２６が設けられている場合を例に挙げて説明したが、本実施形態は、これに限定されるものではない。框２０Ａ・２０Ｂには、それぞれ開閉部２７および収容部２６が設けられていてもよく、それぞれの框２０Ａ・２０Ｂにおける収容部２６内に、それぞれの框２０Ａ・２０Ｂで支持される調光装置４０を駆動する駆動装置５０の少なくとも一部がそれぞれ設けられていてもよい。なお、この場合、各框２０Ａ・２０Ｂの開閉部２７および収容部２６は、調光窓１を閉めたときに互いに重ならない部分に設けられる。これにより、例えば実施形態１と同様の効果を得ることができる。
【０２３１】
〔まとめ〕
本発明の態様１にかかる調光システム（調光窓１）は、透光性部材（窓本体、単板ガラス、複層ガラス、窓ガラス１１、窓ガラス１２）と、上記透光性部材に対向配置され、電圧を印加することで光の透過率を変化させる調光装置４０と、上記調光装置４０を駆動する駆動装置５０と、上記透光性部材および上記調光装置４０を組み込む組み込み部２４を有する支持体（框２０）と、を備え、上記支持体の一部に、上記駆動装置５０の少なくとも一部を収容する収容部２６と、上記収容部２６を開閉自在に覆う開閉部２７と、が設けられている。
【０２３２】
上記の構成によれば、上記組み込み部２４を分解することなく、駆動装置５０の修理や電池交換、部品交換等を行うことができる調光システムを提供することができる。
【０２３３】
本発明の態様２にかかる調光システムは、上記態様１において、上記駆動装置５０は、上記調光装置４０に、該調光装置４０を駆動するための電力を供給する電源部５１と、上記調光装置４０の駆動を制御する制御部５２と、を少なくとも有し、少なくとも上記電源部５１および上記制御部５２が、上記収容部２６内に収容されていてもよい。
【０２３４】
調光装置４０の駆動には、少なくとも電源部５１および制御部５２を必要とする。また、交換や修理の必要性が高い構成要素については、収容部２６内に配設されていることが望ましい。上記の構成によれば、電源部５１や制御部５２が寿命や故障により動作不可能となった場合に、框２０を分解することなく、電池交換や、電源部５１や制御部５２の部品交換、修理等を行うことができる。
【０２３５】
本発明の態様３にかかる調光システムは、上記態様２において、上記駆動装置５０は、上記調光装置４０の透過率を切り替えるスイッチ部５５と、上記制御部５２に接続された通信部５４と、のうち少なくとも一方をさらに有し、上記スイッチ部５５および上記通信部５４のうち少なくとも一方は、上記収容部２６内に収容されていてもよい。
【０２３６】
上記の構成によれば、上記駆動装置５０がスイッチ部５５や通信部５４を含む場合、框２０を分解することなく、スイッチ部５５や通信部５４の部品交換、修理等を行うことができる。
【０２３７】
本発明の態様４にかかる調光システムは、上記態様３において、上記通信部５４は、気候情報（天気、気温）を配信するサーバから、通信ネットワークを介して、当該調光システムを設置する住所に対応付けられた気候情報を取得し、上記制御部５２は、上記気候情報に応じて、目的とする日射熱取得率が得られるように、上記調光装置４０の駆動を制御してもよい。
【０２３８】
上記態様によれば、当該調光システムを設置する住所に対応付けられた天候情報を、上記調光装置４０の制御に反映することができる。
【０２３９】
本発明の態様５にかかる調光システムは、上記態様３または４において、上記通信部５４は、ＨＥＭＳコントローラと通信可能に接続されていてもよい。
【０２４０】
上記態様によれば、当該調光システムの電力消費量を、各戸内の各家電における電力消費量を管理するＨＥＭＳにより管理することができる。
【０２４１】
本発明の態様６にかかる調光システムは、上記態様１〜５の何れかにおいて、上記調光装置４０は、貼着層（接着剤層７２）により上記透光性部材の表面に固定されていてもよい。
【０２４２】
ガラスのような固体と例えば空気のような気体との界面においては、界面反射が起こるため、可視光線を含む光の透過率が低くなる。上記の構成によれば、上記調光装置４０と上記透光性部材との間に、上述した界面が存在せず、可視光線を含む光の透過率の低下を抑制することができる。また、上記の構成によれば、上記調光装置４０が薄い面状部材である場合でも、上記調光装置４０を安定して保持することができる。
【０２４３】
本発明の態様７にかかる調光システムは、上記態様１〜５の何れかにおいて、上記調光装置４０は、シール材１４２で貼り合わされた一対の基板１１０・１２０を備え、上記透光性部材と上記支持体との間には、ガスケット（グレーチングチャンネル３１）が設けられており、上記シール材１４２は、上記ガスケットと対向する位置に配置されていてもよい。
【０２４４】
上記の構成によれば、一対の基板１１０・１２０間にシール材１４２が存在する部分に上記ガスケットの圧力がかかるように上記調光装置４０を設置することができる。また、上記の構成によれば、シール材１４２が外部から見えないので、意匠性の高い調光システムを提供することができる。
【０２４５】
本発明の態様８にかかる調光システムは、上記態様１〜５の何れかにおいて、上記透光性部材（窓本体、複層ガラス）は、互いに対向して設けられた第１の透光性部材（窓ガラス１１）と第２の透光性部材（窓ガラス１２）とを備え、上記調光装置４０は、上記第１の透光性部材と第２の透光性部材との間に配置されていてもよい。
【０２４６】
上記の構成によれば、調光装置４０を、上記第１の透光性部材と第２の透光性部材との間に配置することで、調光装置４０の破損を避けることができる。
【０２４７】
本発明の態様９にかかる調光システムは、上記態様８において、上記調光装置４０は、貼着層（接着剤層７２）により上記第１の透光性部材および上記第２の透光性部材のうち一方の透光性部材の表面に固定されていてもよい。
【０２４８】
上記の構成によれば、例えば、上記調光システムが、屋内と屋外とを隔てる位置に設置される調光窓であり、上記調光装置４０を近赤外線調光部とする場合、太陽からの近赤外光が、屋内側の透光性部材に到達する前に近赤外光を遮断することができる。したがって、この場合、夏場に高い遮熱効果を得ることができる。
【０２４９】
本発明の態様１０にかかる調光システムは、上記態様９において、上記調光装置４０は、上記第１の透光性部材と第２の透光性部材との間に、上記第１の透光性部材および第２の透光性部材とは離間して設けられていてもよい。
【０２５０】
上記の構成によれば、調光装置４０を上記第１の透光性部材と第２の透光性部材との間に配置した、トリプルガラス構成の調光システムを提供することができる。
【０２５１】
本発明の態様１１にかかる調光システムは、上記態様８〜１０の何れかにおいて、上記第１の透光性部材と上記第２の透光性部材とは、スペーサ３２を介して対向配置されており、上記調光装置４０は、シール材１４２で貼り合わされた一対の基板１１０・１２０を備え、上記第１の透光性部材および上記第２の透光性部材と上記支持体との間には、ガスケット（グレーチングチャンネル３１）が設けられており、上記シール材１４２は、上記ガスケットおよび上記スペーサ３２と対向する位置に配置されていてもよい。
【０２５２】
上記の構成によれば、一対の基板１１０・１２０間にシール材１４２が存在する部分に上記ガスケットおよびスペーサ３２の圧力がかかるように上記調光装置４０を設置することができる。また、上記の構成によれば、シール材１４２が外部から見えないので、意匠性の高い調光システムを提供することができる。
【０２５３】
本発明の態様１２にかかる調光システムは、上記態様８〜１０の何れかにおいて、上記第１の透光性部材と上記第２の透光性部材とは、スペーサ３２を介して対向配置されており、上記調光装置４０は、シール材１４２で貼り合わされた一対の基板１１０・１２０を備え、上記第１の透光性部材および上記第２の透光性部材と上記支持体との間には、ガスケット（グレーチングチャンネル３１）が設けられており、上記一対の基板１１０・１２０のうち一方の基板が、他方の基板よりも大きく、上記シール材１４２は、上記ガスケットおよび上記スペーサ３２と対向しない位置に配置されており、上記一方の基板のみが上記ガスケットおよび上記スペーサ３２に対向してもよい。
【０２５４】
上記の構成によれば、上記ガスケットの圧力がかかる部分は、一対の基板１１０・１２０のうち一方の基板のみが形成された構成とすることができる。したがって、上記の構成によれば、一対の基板１１０・１２０における、光変調層等のシール材１４２の内側の部分にガスケットの圧力がかかることを避けることができる。
【０２５５】
本発明の態様１３にかかる調光システムは、上記態様１〜１２の何れかにおいて、当該調光システムは調光窓１であり、上記透光性部材は窓本体（窓ガラス１１、窓ガラス１２）であり、上記支持体は框２０であってもよい。
【０２５６】
上記の構成によれば、調光システムとして、窓本体の組み込み部２４を分解することなく、駆動装置５０の修理や電池交換、部品交換等を行うことができる調光窓１を提供することができる。
【０２５７】
本発明の態様１４にかかる調光システムは、上記態様１３において、上記調光窓１は、該調光窓１を閉めたときに互いに接し合う召合せ框（縦框２３）を有する可動窓であり、上記框２０は、枠状の第１框（框２０Ａ）と第２框（框２０Ｂ）とを含み、上記第１框および第２框は、窓枠７内でそれぞれスライド自在に設けられており、それぞれが、上記召合せ框を有し、上記窓本体は、上記第１框で支持された第１窓本体（窓本体ユニット１０Ａの窓本体（単板ガラス、複層ガラス）、窓ガラス１１、窓ガラス１２）と、上記第２框で支持された第２窓本体（窓本体ユニット１０Ｂの窓本体（単板ガラス、複層ガラス）、窓ガラス１１、窓ガラス１２）とを含み、上記調光装置４０は、上記第１窓本体に対向配置された第１調光装置（窓本体ユニット１０Ａの調光装置４０）と、上記第２窓本体に対向配置された第２調光装置（窓本体ユニット１０Ｂの調光装置４０）とを含み、上記第１框および上記第２框における上記召合せ框のうち一方の召合せ框における、他方の召合せ框との接触面とは反対側の面の一部に、上記開閉部２７が設けられていてもよい。
【０２５８】
上記の構成によれば、調光システムとして、引き違い窓や上げ下げ窓等、窓枠７内でスライド自在に設けられた、調光機能を有し、かつ、窓本体の組み込み部２４を分解することなく、駆動装置５０の修理や電池交換、部品交換等を行うことができる可動窓を提供することができる。
【０２５９】
本発明の態様１５にかかる調光システムは、上記態様１４において、上記第１框および上記第２框における上記召合せ框に、互いに接続される接続部２１１・２２１がそれぞれ設けられており、上記開閉部２７が設けられた召合せ框に設けられた上記一方の召合せ框に設けられた接続部は、上記駆動装置５０に接続されており、上記調光窓１を閉めたときに上記各接続部２１１・２２１が電気的に繋がることで、上記駆動装置５０により、上記第１調光装置と上記第２調光装置とが駆動されてもよい。
【０２６０】
上記の構成によれば、上記調光窓１を閉めたときに上記各接続部２１１・２２１が電気的に繋がることで、上記駆動装置５０により、上記第１調光装置と上記第２調光装置とを駆動することができる。
【０２６１】
本発明の態様１６にかかる調光システムは、上記態様１５において、上記召合せ框に錠（クレセント錠４）が設けられており、上記錠の施錠動作または解錠動作に伴って上記接続部２１１・２２１同士が接触または離間してもよい。
【０２６２】
上記の構成によれば、上記接続部２１１・２２１同士の接続を確実にしたり、駆動装置５０に接続された接続部に接触した際の漏電や感電を回避したりすることができる。
【０２６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２６４】
本発明の調光システムは、例えば引違い窓や上げ下げ窓のように窓自体が可動する可動窓に好適に利用することができる。本発明の調光システムは、例えば、框（サッシ）のように、建物とは独立して交換する必要がある建築部材に対して、調光装置および該調光装置を駆動する駆動装置を容易に維持管理できる。
【符号の説明】
【０２６５】
１    調光窓（調光システム）
２    第１調光窓
３    第２調光窓
４  クレセント錠（錠）
５    クレセント回転軸
６    当接部材
７    窓枠
１０、１０Ａ、１０Ｂ    窓本体ユニット
１１、１２    窓ガラス（透光性部材、窓本体）
２０、２０Ａ、２０Ｂ    框（支持体）
２０ａ    表面
２１    上框
２２    下框
２３    縦框
２５    凹部
２６    収容部
２６ａ  開口部
２６ｂ  配線貫通口
２７    開閉部
２７ａ  表面
３１    グレーチングチャンネル（ガスケット）
３２    スペーサ
４０    調光装置
５０    駆動装置
５１    電源部
５２    制御部
５３    記憶部
５４    通信部
５５    スイッチ部
６１    通信装置
７１    配線
７２    接着剤層（貼着層）
８１    反射防止膜
１１０、１２０    基板
１１１、１２１    絶縁性基板
１１２、１２２、１２２ａ    電極
１３０    光変調層
１３１    媒体
１３２    形状異方性部材
１３３    ガラス層
１３４    近赤外反射層
１４１    スペーサ
１４２    シール材
２１１、２２１    接続部
２１２、２２５    配線
２２２、２２３  バネ支持部
２２２ａ    開口部
２２４    バネ
２２６    フリンジ部
【図１】
2016203860.tif 000003
【図２】
2016203860.tif 000004
【図３】
2016203860.tif 000005
【図４】
2016203860.tif 000006
【図５】
2016203860.tif 000007
【図６】
2016203860.tif 000008
【図７】
2016203860.tif 000009
【図８】
2016203860.tif 000010
【図９】
2016203860.tif 000011
【図１０】
2016203860.tif 000012
【図１１】
2016203860.tif 000013
【図１２】
2016203860.tif 000014
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
透光性部材と、
上記透光性部材に対向配置され、電圧を印加することで光の透過率を変化させる調光装置と、
上記調光装置を駆動する駆動装置と、
上記透光性部材の外形に沿った枠形状を有し、上記透光性部材および上記調光装置を支持する支持体と、を備え、
上記支持体の一部に、上記駆動装置の少なくとも一部を収容する開口部を有する収容部と、上記開口部を開閉自在に覆う開閉部と、が設けられており、
上記開閉部は、上記支持体の表面の一部に設けられていることを特徴とする調光システム。
【請求項２】
上記開閉部は、上記支持体における、上記透光性部材側の表面および上記調光装置側の表面のうち、上記調光装置側の表面の一部に設けられていることを特徴とする請求項１に記載の調光システム。
【請求項３】
上記開閉部は、上記支持体の下部の表面の一部に設けられていることを特徴とする請求項１または２に記載の調光システム。
【請求項４】
上記駆動装置は、上記調光装置に、該調光装置を駆動するための電力を供給する電源部と、上記調光装置の駆動を制御する制御部と、を少なくとも有し、
少なくとも上記電源部および上記制御部が、上記収容部内に収容されていることを特徴とする請求項１〜３の何れか１項に記載の調光システム。
【請求項５】
上記駆動装置は、上記調光装置の透過率を切り替えるスイッチ部と、上記制御部に接続された通信部と、のうち少なくとも一方をさらに有し、上記スイッチ部および上記通信部のうち少なくとも一方は、上記収容部内に収容されていることを特徴とする請求項４に記載の調光システム。
【請求項６】
上記通信部は、気候情報を配信するサーバから、通信ネットワークを介して、当該調光システムを設置する住所に対応付けられた気候情報を取得し、
上記制御部は、上記気候情報に応じて、目的とする日射熱取得率が得られるように、上記調光装置の駆動を制御することを特徴とする請求項５に記載の調光システム。
【請求項７】
上記通信部は、ＨＥＭＳコントローラと通信可能に接続されていることを特徴とする請求項５または６に記載の調光システム。
【請求項８】
上記調光装置は、貼着層により上記透光性部材の表面に固定されていることを特徴とする請求項１〜７の何れか１項に記載の調光システム。
【請求項９】
上記調光装置は、シール材で貼り合わされた一対の基板を備え、
上記透光性部材と上記支持体との間には、ガスケットが設けられており、
上記シール材は、上記ガスケットと対向する位置に配置されていることを特徴とする請求項１〜７の何れか１項に記載の調光システム。
【請求項１０】
上記透光性部材は、互いに対向して設けられた第１の透光性部材と第２の透光性部材とを備え、
上記調光装置は、上記第１の透光性部材と第２の透光性部材との間に配置されていることを特徴とする請求項１〜７の何れか１項に記載の調光システム。
【請求項１１】
上記調光装置は、貼着層により上記第１の透光性部材および上記第２の透光性部材のうち一方の透光性部材の表面に固定されていることを特徴とする請求項１０に記載の調光システム。
【請求項１２】
上記調光装置は、上記第１の透光性部材と第２の透光性部材との間に、上記第１の透光性部材および第２の透光性部材とは離間して設けられていることを特徴とする請求項１１に記載の調光システム。
【請求項１３】
上記第１の透光性部材と上記第２の透光性部材とは、スペーサを介して対向配置されており、
上記調光装置は、シール材で貼り合わされた一対の基板を備え、
上記第１の透光性部材および上記第２の透光性部材と上記支持体との間には、ガスケットが設けられており、
上記シール材は、上記ガスケットおよび上記スペーサと対向する位置に配置されていることを特徴とする請求項１０〜１２の何れか１項に記載の調光システム。
【請求項１４】
上記第１の透光性部材と上記第２の透光性部材とは、スペーサを介して対向配置されており、
上記調光装置は、シール材で貼り合わされた一対の基板を備え、
上記第１の透光性部材および上記第２の透光性部材と上記支持体との間には、ガスケットが設けられており、
上記一対の基板のうち一方の基板が、他方の基板よりも大きく、
上記シール材は、上記ガスケットおよび上記スペーサと対向しない位置に配置されており、上記一方の基板のみが上記ガスケットおよび上記スペーサに対向することを特徴とする請求項１０〜１２の何れか１項に記載の調光システム。
【請求項１５】
当該調光システムは調光窓であり、上記透光性部材は窓本体であり、上記支持体は框であることを特徴とする請求項１〜１４の何れか１項に記載の調光システム。
【請求項１６】
上記調光窓は、該調光窓を閉めたときに互いに接し合う召合せ框を有する可動窓であり、
上記框は、枠状の第１框と第２框とを含み、上記第１框および第２框は、窓枠内でそれぞれスライド自在に設けられており、それぞれが、上記召合せ框を有し、
上記窓本体は、上記第１框で支持された第１窓本体と、上記第２框で支持された第２窓本体とを含み、
上記調光装置は、上記第１窓本体に対向配置された第１調光装置と、上記第２窓本体に対向配置された第２調光装置とを含み、
上記第１框および上記第２框における上記召合せ框のうち一方の召合せ框における、他方の召合せ框との接触面とは反対側の面の一部に、上記開閉部が設けられていることを特徴とする請求項１５に記載の調光システム。
【請求項１７】
上記第１框および上記第２框における上記召合せ框に、互いに接続される接続部がそれぞれ設けられており、
上記開閉部が設けられた上記一方の召合せ框に設けられた接続部は、上記駆動装置に接続されており、
上記調光窓を閉めたときに上記各接続部が電気的に繋がることで、上記駆動装置により、上記第１調光装置と上記第２調光装置とが駆動されることを特徴とする請求項１６に記載の調光システム。
【請求項１８】
上記召合せ框に錠が設けられており、上記錠の施錠動作または解錠動作に伴って上記接続部同士が接触または離間することを特徴とする請求項１７に記載の調光システム。
【請求項１９】
上記駆動装置から上記調光装置に接続された配線を備え、
上記収容部は、上記配線を貫通させる配線貫通口を有し、
上記収容部は、上記配線貫通口が防水シールされた樹脂で形成されていることを特徴とする請求項１〜１８の何れか１項に記載の調光システム。
【国際調査報告】
2016203860.tif 000015
2016203860.tif 000016
2016203860.tif 000017
2016203860.tif 000018